(57)【要約】【解決手段】  加熱手段を内蔵した加熱収容容器２内に、複数のズボン支持フレーム３を出し入れ可能に収容してなり、前記ズボン支持フレーム３が略四角形状の枠体５であって、当該枠体５の上辺下部にズボン７の裾を挟持して垂下するクリップ６を摺動可能に取り付けてなる。【効果】  加熱収容容器の外における作業は簡単であり、複数のズボン支持フレームにズボンを装着することができ、それらを加熱収容容器内に収容して乾燥するので、極めて効率よくズボンを乾燥することができる。【選択図】          図１
2009165670.tif 000002
【特許請求の範囲】
【請求項１】
加熱手段を内蔵した加熱収容容器（２）内に、複数のズボン支持フレーム（３）を出し入れ可能に収容してなり、前記ズボン支持フレーム（３）が略四角形状の枠体（５）であって、当該枠体（５）の上辺下部にズボン（７）の裾を挟持して垂下するクリップ（６）を摺動可能に取り付けてなることを特徴とする、ズボン乾燥機
【請求項２】
前記加熱手段が、加熱収容容器（２）内に熱風を送入する熱風送風機であることを特徴とする、請求項１に記載のズボン乾燥機
【請求項３】
前記加熱手段が、前記複数のズボン支持フレーム（３）の位置に設けられた熱板（１６）であることを特徴とする、請求項１に記載のズボン乾燥機
【請求項４】
前記枠体（５）の両側辺の内側に、垂下したズボン（７）に向かって熱風を放出する手段を設けたことを特徴とする、請求項１に記載のズボン乾燥機
【請求項５】
前記クリップ（６）が、前記枠体（５）に対して複数取り付けられていることを特徴とする、請求項１に記載のズボン乾燥機
【請求項６】
前記クリップ（６）が、一対の挟持片（１０、１１）を有し、その一方の挟持片（１０）の内側面にばね手段（１２）が設けられ、当該ばね手段（１２）と他方の挟持片（１１）との間にズボン（７）の裾を挟持せしめたことを特徴とする、請求項１に記載のズボン乾燥機
【請求項７】
前記挟持片（１０、１１）の間隔が調節可能であることを特徴とする、請求項６に記載のズボン乾燥機
【発明の詳細な説明】
【技術分野】
【０００１】
本発明はズボン乾燥機に関するものであって、特にクリーニング後のズボンを効率よく乾燥するための装置に関するものである。
【背景技術】
【０００２】
従来ズボンのしわを伸ばして乾燥するには、アイロンやプレス機を使用することが多かった。また特開２００１−８７５９９号公報や特開２００３−１３５８９９号公報に示されるように、ズボンの上部を吊り下げてその中に温風を吹き込んで乾燥するものが知られている。
【０００３】
しかしながらこれらはいずれも、家庭などにおいて単一のズボンを乾燥するためのものであり、大量のズボンを取り扱うクリーニング工場などにおいては、必ずしも作業効率が良いものとはいえなかった。
【０００４】
またこれらの装置では、個々の装置にズボンの上部の形を整えた状態でセットしなければならないのであり、これらの乾燥機を多数併設しても、さほど作業効率を向上させることはできない。
【特許文献１】特開２００１−８７５９９号公報
【特許文献３】特開２００３−１３５８９９号公報
【発明の開示】
【発明が解決しようとする課題】
【０００５】
本発明はかかる事情に鑑みなされたものであって、加熱収容容器内に複数のズボンを同時にセットして、効率よく乾燥することのできる、ズボン乾燥機を提供することを目的とするものである。
【課題を解決するための手段】
【０００６】
而して本発明は、加熱手段を内蔵した加熱収容容器内に、複数のズボン支持フレームを出し入れ可能に収容してなり、前記ズボン支持フレームが略四角形状の枠体であって、当該枠体の上辺下部にズボンの裾を挟持して垂下するクリップを摺動可能に取り付けてなることを特徴とするものである。
【０００７】
本発明においては、前記加熱手段が、加熱収容容器内に熱風を送入する熱風送風機であることができる。また前記加熱手段を、前記複数のズボン支持フレームの間の位置に設けられた熱板とすることもできる。また前記枠体の両側辺の内側に、垂下したズボンに向かって熱風を放出する手段を設けることも好ましい。
【０００８】
また本発明における前記クリップは、前記枠体に対して複数取り付けられていることが好ましい。また当該クリップの構造としては、一対の挟持片を有し、その一方の挟持片の内側面にばね手段が設けられ、当該ばね手段と他方の挟持片との間にズボンの裾を挟持せしめたものとするのが好ましい。またこのとき、前記挟持片の間隔が調節可能であることが好ましい。
【発明の効果】
【０００９】
本発明によれば、加熱収容容器からズボン支持フレームを引き出した状態で、当該ズボン支持フレームに濡れた状態のズボンを垂下し、この状態でズボン支持フレームを加熱収容容器内に挿入し、加熱されて乾燥される。
【００１０】
従って加熱収容容器の外における作業は、ズボンの裾をクリップで挟持して垂下するだけであって簡単であり、複数のズボン支持フレームにズボンを垂下することができ、それらを加熱収容容器内に挿入して同時に乾燥するので、極めて効率よくズボンを乾燥することができる。
【発明を実施するための最良の形態】
【００１１】
以下本発明を図面に基づいて説明する。図１及び図２は本発明のズボン乾燥機１を示すものであって、２は加熱収容容器であり、３は当該加熱収容容器２内に伸縮レール４に沿って出し入れ可能に設けられたズボン支持フレームであり、加熱収容容器２に対して複数のズボン支持フレーム３が設けられている。
【００１２】
各ズボン支持フレーム３は図１に示すように略四角形状の枠体５であって、加熱収容容器２の下部に設けられた伸縮レール４に摺動自在に載置されており、その枠体５の摺動に伴って伸縮レール４は伸縮し、又はズボン支持フレーム３が加熱収容容器２内に収容された状態で折り畳まれるようになっている。
【００１３】
そしてその枠体５の上辺の下面には、クリップ６が枠体５の上辺に沿って摺動自在に取り付けられており、当該クリップ６にズボン７の裾を挟持して垂下するようになっている。
【００１４】
図３は枠体５に対するクリップ６の取り付け状態を示すものであって、枠体５は少なくともその下面に凹溝８を有する棒状の型材よりなっており、クリップ６の上端に突設された摺動片９が前記凹溝８に嵌合し、当該摺動片９が凹溝８に沿って枠体５の長さ方向に摺動するようになっている。
【００１５】
またクリップ６は、一対の挟持片１０、１１を有しており、その一方の挟持片１０の内側面にばね手段１２が設けられ、挟持片１０、１１の間に下方からズボン７の裾を差し込むことにより、当該ズボン７の裾はばね手段１２と他方の挟持片１１との間に挟持されて垂下するようになっている。また挟持片１０、１１の間隔を調節可能とすることにより、ズボン７の生地の厚薄に対応することができる。
【００１６】
図面においてはズボン７は二つのクリップ６で垂下するように描かれているが、これに限らず一つのクリップ６で垂下することもでき、また三つ以上のクリップ６で垂下しても差し支えない。
【００１７】
また図面では一つのズボン支持フレーム３にズボン７を二本取り付けているが、加熱収容容器２やズボン支持フレーム３の大きさによっては、一本又は三本以上のズボン７を取り付けるものであってもよい。
【００１８】
そしてこのズボン支持フレーム３は、前記芯縮レール４に沿って摺動して加熱収容容器２の前面開口部１４から加熱収容容器２に出し入れ可能に設けられている。なお１５は加熱収容容器２の前面扉である。
【００１９】
而して本発明のズボン乾燥機１を使用するには、先ず図１に鎖線で示すようにズボン支持フレーム３を加熱収容容器２の前面開口部１４から前方に引き出し、前記クリップ６にズボン７の裾を挟持して垂下する。
【００２０】
この状態でズボン支持フレーム３をレール４に沿って移動させて、図１に実線で示すように加熱収容容器２内に収容する。このとき伸縮レール４は収縮し又は前端部を折り畳んで、これも加熱収容容器２内に収容する。
【００２１】
加熱収容容器２に設けられた複数のズボン支持フレーム３について、このようにしてズボン７を装着して加熱収容容器２内に収容し、前面扉１５を閉じて加熱手段によりズボン７を加熱して乾燥する。
【００２２】
加熱手段としては、加熱収容容器２内に熱風を送入する熱風送風機（図示せず）を使用することができ、また図２に示すように加熱収容容器２内のズボン支持フレーム３の間の位置に熱板１６を設け、当該熱板１６からの輻射熱によりズボン７を乾燥せしめることもできる。またこれらの加熱手段と併せて、前記枠体５の両側辺の内側面からズボン７に向かって熱風を放出せしめる手段を設けることも好ましいことである。
【００２３】
ズボン７が十分に乾燥したならば、前面扉１５を開いて伸縮レール４を前方に向かって伸張させ、当該伸縮レール４に沿って加熱収容容器２の前面開口部１４からズボン支持フレーム３を図１に鎖線で示すように再度引き出し、ズボン７をズボン支持フレーム３から取り外す。
【００２４】
ズボン７を取り外したあとのズボン支持フレーム３には、新たにズボン７を装着して加熱収容容器２内に収容して乾燥することにより、繰り返してズボン７を乾燥することができる。
【００２５】
本発明によれば、ズボン支持フレーム３にズボン７を装着して加熱収容容器２内に収容することにより、効率良く加熱収容容器２内に収容することができ、また加熱収容容器２に複数のズボン支持フレーム３を同時に収容してズボン７を乾燥することができ、作業効率がきわめて良好である。
【図面の簡単な説明】
【００２６】
【図１】本発明のズボン乾燥機の縦断面図
【図２】本発明のズボン乾燥機における加熱収容容器の正面から見た図
【図３】本発明におけるクリップ６の取り付け状態を示す拡大断面図
【符号の説明】
【００２７】
１  ズボン乾燥機
２  加熱収容容器
３  ズボン支持フレーム
５  枠体
６  クリップ
７  ズボン
１０、１１  挟持片
１２  ばね手段
１６  熱板
【図１】
2009165670.tif 000003
【図２】
2009165670.tif 000004
【図３】
2009165670.tif 000005